(57)【要約】【課題】製造が容易な脈拍検出装置およびその製造方法並びにコネクタユニットを提供することを目的とすること。【解決手段】本発明は、イヤホンを接続可能なコネクタユニット５０と、前記コネクタユニット５０に接合され、携帯機器に接続する第１ケーブル４２と、携帯機器と脈拍センサとを接続する第２ケーブル２２と、コネクタユニット５０にイヤホンが接続可能にコネクタユニット５０を覆い、第２ケーブル２２がスルーするように第２ケーブル２２を覆うカバー部７０と、を具備する脈拍検出装置である。【選択図】図６
2010000255.tif 000002
【特許請求の範囲】
【請求項１】
イヤホンを接続可能なコネクタユニットと、
前記コネクタユニットに接合され、携帯機器に接続する第１ケーブルと、
前記携帯機器と脈拍センサとを接続する第２ケーブルと、
前記コネクタユニットに前記イヤホンが接続可能に前記コネクタユニットを覆い、かつ前記第２ケーブルがスルーするように前記第２ケーブルを覆うカバー部と、
を具備することを特徴とする脈拍検出装置。
【請求項２】
前記カバー部は、上カバーと下カバーとが係合し形成されていることを特徴とする請求項１記載の脈拍検出装置。
【請求項３】
前記コネクタユニットは、前記イヤホンが接続可能なコネクタ部と、前記コネクタ部に電気的に接続され前記第２ケーブルと半田接合されたリードと、を含むことを特徴とする請求項１記載の脈拍検出装置。
【請求項４】
前記リードは凹部を有し、前記第１ケーブルは前記リードの前記凹部おいて半田接合されていることを特徴とする請求項３記載の脈拍検出装置。
【請求項５】
前記リードは穴部を有し、前記第１ケーブルは前記リードの前記穴部内に挿入され半田接合されていることを特徴とする請求項３記載の脈拍検出装置。
【請求項６】
イヤホンを接続可能なコネクタユニットに、携帯機器に接続する第１ケーブルを接合する工程と、
前記コネクタユニットに前記イヤホンが接続可能に前記コネクタユニットを覆い、かつ前記携帯機器と脈拍センサとを接続する第２ケーブルがスルーするように前記第２ケーブルを覆うカバー部を形成する工程と、
を含むことを特徴とする脈拍検出装置の製造方法。
【請求項７】
ケーブルを接続可能なコネクタ部と、
前記コネクタ部に電気的に接続され、別のケーブルと半田結合すべき凹部または穴部を有するリードと、を具備することを特徴とするコネクタユニット。
【発明の詳細な説明】
【技術分野】
【０００１】
本発明は、脈拍検出装置およびその製造方法並びにコネクタユニット、特に、イヤホンが接続可能な脈拍検出装置およびその製造方法並びにコネクタユニットに関する。
【背景技術】
【０００２】
使用者の脈拍に関する情報である脈拍情報を取得するために用いられる脈拍検出装置は、例えば耳介に脈拍センサを取り付けて脈拍情報を取得している。取得された脈拍情報は携帯機器において処理され記憶される。特許文献１においては、脈拍検出装置とイヤホンとを備える装置が開示されている。
【特許文献１】特開２００５−１８５７２５号公報
【発明の開示】
【発明が解決しようとする課題】
【０００３】
特許文献１においては、計測した脈拍データを音声で確認することができる。また、ラジオ音声等を発音部で聴取することができる。しかしながら、イヤホンと脈拍センサと携帯機器が一体となっているため、イヤホンが不要な際もイヤホンを装着することになる。また、携帯機器を後頭部に装着することになる。そこで、イヤホンを脱着可能とし、かつ携帯機器と脈拍センサとを接続線を設けた脈拍検出装置が考えられる。しかしながら、このような脈拍検出装置は製造工程が複雑となる。
【０００４】
本発明は、上記課題に鑑みなされたものであり、製造が容易な脈拍検出装置およびその製造方法並びにコネクタユニットを提供することを目的とする。
【課題を解決するための手段】
【０００５】
本発明は、イヤホンを接続可能なコネクタユニットと、前記コネクタユニットに接合され、携帯機器に接続する第１ケーブルと、前記携帯機器と脈拍センサとを接続する第２ケーブルと、前記コネクタユニットに前記イヤホンが接続可能に前記コネクタユニットを覆い、かつ前記第２ケーブルがスルーするように前記第２ケーブルを覆うカバー部と、を具備することを特徴とする脈拍検出装置である。本発明によれば、製造が容易な脈拍検出装置を提供することができる。
【０００６】
上記構成において、前記カバー部は、上カバーと下カバーとが係合し形成されている構成とすることができる。
【０００７】
上記構成において、前記コネクタユニットは、前記イヤホンが接続可能なコネクタ部と、前記コネクタ部に電気的に接続され前記第２ケーブルと半田接合されたリードと、を含む構成とすることができる。
【０００８】
上記構成において、前記リードは凹部を有し、前記第１ケーブルは前記リードの前記凹部おいて半田接合されている構成とすることができる。この構成によれば、リードとケーブルの結合強度を大きくすることができる。
【０００９】
上記構成において、前記リードは穴部を有し、前記第１ケーブルは前記リードの前記穴部内に挿入され半田接合されている構成とすることができる。この構成によれば、リードと第１ケーブルの結合強度を大きくすることができる。
【００１０】
本発明は、イヤホンを接続可能なコネクタユニットに、携帯機器に接続する第１ケーブルを接合する工程と、前記コネクタユニットに前記イヤホンが接続可能に前記コネクタユニットを覆い、かつ前記携帯機器と脈拍センサとを接続する第２ケーブルがスルーするように前記第２ケーブルを覆うカバー部を形成する工程と、を含むことを特徴とする脈拍検出装置の製造方法である。本発明によれば、脈拍検出装置を容易に製造することができる。
【００１１】
本発明は、ケーブルを接続可能なコネクタ部と、前記コネクタ部に電気的に接続され、別のケーブルと半田結合すべき凹部または穴部を有するリードと、を具備することを特徴とするコネクタユニットである。本発明によれば、リードと別のケーブルの結合強度を大きくすることができる。
【発明の効果】
【００１２】
本発明によれば、製造が容易な脈拍検出装置を提供することができる。
【発明を実施するための最良の形態】
【００１３】
以下、図面を用い本発明の実施例を説明する。
【実施例１】
【００１４】
図１は実施例１に係る脈拍検出装置のブロック図である。脈拍検出装置は、携帯装置１０、脈拍センサ２０およびイヤホン３０を有している。脈拍センサ２０が検出した脈波は、演算部１１に出力される。演算部１１は、例えばＣＰＵであり、脈拍に関する情報である脈拍情報を演算し結果を表示部１２に出力する。表示部１２は例えば液晶表示部であり、演算結果を表示する。演算結果は、例えば脈波から演算した脈拍数である。記憶装置１３は、例えば不揮発性メモリであり、脈拍情報または演算結果等の脈拍生体情報に関する情報を記憶する。演算部１１は、演算結果をさらに判断部１４に出力する。
【００１５】
判断部１４は、演算結果に基づき使用者の生体状況（例えばリラックス状態や緊張状態）について判断する。判断結果に基づきオーディオアンプ１５および音楽プレーヤ等１６を制御する。音楽プレーヤ等１６は、音楽プレーヤ以外に、ラジオ受信機、携帯ゲームまたは携帯電話等である。オーディオアンプ１５は音楽プレーヤ等１６から出力された音声情報を増幅しイヤホン３０に出力する。リモコン１７はオーディオアンプ１５のボリュームおよび音楽プレーヤ等１６の操作（例えば選曲）を行う。例えば、判断部１４は、使用者の脈拍数が落ち着いている場合、使用者の生体状況がリラックス状態にあると判断し、音楽プレーヤ等１６にゆったりした曲を選択させ、オーディオアンプ１５にボリュームを下げさせる。
【００１６】
図２は実施例１に係る脈拍検出装置の全体図である。脈拍センサ２０と携帯装置１０とは第２ケーブル２２および第１ケーブル４２を介し接続されている。第２ケーブル２２および第１ケーブル４２の途中には、イヤホン接続ユニット４０が設けられている。イヤホン３０ａおよび３０ｂと携帯装置１０とは、第３ケーブル３２、イヤホン接続ユニット４０および第１ケーブル４２を介し接続されている。携帯装置１０は例えば腰のベルトや上着のポケットに装着される。イヤホン３０ａおよび３０ｂは外耳孔に挿入される。脈拍センサ２０は例えば耳に装着される。
【００１７】
図３は、イヤホン接続ユニットの斜視図である。イヤホン接続ユニット４０はカバー部７０でカバーされている。カバー部７０は、下カバー７４と上カバー７２とを含み、下カバー７４と上カバー７２とが係合してカバー部７０を形成している。カバー部７０からはイヤホンを接続可能なコネクタユニット５０のジヤック型コネクタ部５２が露出している。カバー部７０からは、脈拍センサ２０と接続される第２ケーブル２２と携帯装置１０と接続される第１ケーブル４２が導出されている。
【００１８】
図４は、外観が実施例１と同じ比較例のイヤホン接続ユニット４０の分解斜視図である。カバー部７０内には、プリント基板６０が設けられている。プリント基板６０の上面には、電極６２から６６が形成されている。プリント基板６０の上面のコネクタユニット固定領域６８にコネクタユニット５０が固定される。コネクタユニット５０のリード５４は電極６６と電気的に半田等で接続される。携帯装置１０と接続する第１ケーブル４２は、イヤホン３０に接続すべきケーブル４８と脈拍センサ２０に接続すべきケーブル４６とを有している。ケーブル４６および４８は一体化され、一本のケーブル４２を形成している。第１ケーブル４２内の導電線４４は電極６４に半田付けされる。脈拍センサ２０と接続する第２ケーブル２２の導電線２４は電極６２に半田付けされる。これにより、第２ケーブル２２のうちケーブル４６は第１ケーブル４２と電気的に接続する。第２ケーブル２２のうちケーブル４８はコネクタユニット５０と電気的に接続する。コネクタユニット５０のジヤック型コネクタ部５２には、イタホン３０と接続される第３ケーブル３２のイヤホンピン型コネクタ３４が挿入可能である。上カバー７２および下カバー７４には、切り欠き７６、７８および７９が形成されている。切り欠き７６により、コネクタ部５２が露出される。切り欠き７８および７９により、第２ケーブル２２および第１ケーブル４２が導出される。
【００１９】
図４の比較例によれば、イヤホン３０は、イヤホン接続ユニット４０のコネクタ部５２に脱着可能である。よって、イヤホン３０を装着しない場合は、イヤホン３０を取り外すことができる。また、携帯装置１０と脈拍センサ２０とはケーブルで接続されているため、携帯装置１０はポケットやベルト等頭部とは離れた場所に装着することができる。さらに、イヤホン接続ユニット４０を設けることにより、携帯装置１０とイヤホン接続ユニット４０との間はケーブルを第１ケーブル４２の１本とし、イヤホン３０と耳に装着される脈拍センサ２０との分岐を頭部近くで行うことができる。これにより、ケーブル本数を少なくすることができる。
【００２０】
しかしながら、図４の比較例においては、プリント基板６０に第１ケーブル４２および第２ケーブル２２を半田接続するため、製造工程が複雑である。以下に説明する実施例１により製造が容易なイヤホン接続ユニット４０が提供される。
【００２１】
図５は、実施例１の第１ケーブル４２および第２ケーブル２２の外観を示す図である。図５を参照に、第１ケーブル４２の先端には携帯装置１０と接続するコネクタ４５が設けられている。第１ケーブル４２のうち脈拍センサ２０に接続すべきケーブル２２は第２ケーブル２２と直接つながっている。つまり、第２ケーブル２２は携帯装置１０と脈拍センサ２０との間で切断されることなく通しで形成されている。
【００２２】
図６は、実施例１のイヤホン接続ユニット４０の分解斜視図である。イヤホン接続ユニット４０内にはプリント基板は設けられていない。第１ケーブル４６のうちイヤホン３０と携帯装置１０とを接続すべきケーブル４８は、コネクタユニット５０に設けられたリード５６に例えば半田で接合される。上カバー７２と下カバー７４とを係合することにより、カバー部７０が形成される。カバー部７０は、コネクタユニット５０にイヤホンが接続可能にコネクタユニット５０を覆う。また、カバー部７０は、脈拍センサ２０と携帯装置１０とを接続する第２ケーブル２２がカバー部７０内をスルーするように、第２ケーブル２２を覆い形成される。
【００２３】
図７（ａ）は、実施例１のコネクタユニットの背面図、図７（ｂ）は、リードと導電線の拡大図である。図７（ａ）を参照に、コネクタユニット５０の正面には、ケーブルを接続可能なコネクタ部５２が設けられ、コネクタユニット５０の背面には、コネクタ部５２に電気的に接続され別のケーブルと半田結合すべきリード５６が設けられている。図７（ｂ）を参照に、リード５６に、ケーブル４８の導電線４４を配置し、半田付けを行う。
【００２４】
実施例１によれば、図７（ａ）および図７（ｂ）のように第１ケーブル４２のうちケーブル４８をコネクタユニット５０に半田接合し、図６のように第２ケーブル２２がスルーするように第２ケーブルを覆うカバー部７０を設ける。これにより、比較例の図４のようなプリント基板への半田接合を行うことを省略することができ、製造が容易となる。また、プリント基板を用いないため、コスト削減が可能となる。
【００２５】
実施例１のように、例えばＡＢＳ樹脂等の樹脂からなる上カバー７２と下カバー７４とを係合しカバー部７０を形成することにより、カバー部７０を容易に形成することができる。カバー部７０は樹脂で一体成形することもできる。また、カバー部７０を金属材料で覆うことにより、ノイズを低減することもできる。
【実施例２】
【００２６】
実施例２はコネクタユニットの別の例である。図８（ａ）は、実施例２のコネクタユニットの背面図、図８（ｂ）は、リードと導電線の拡大図である。図８（ａ）を参照に、リード５６ａは凹部５８ａを有している。第１ケーブルの導電線４４はリード５６ａの凹部５８ａおいて半田接合されている。これにより、半田接合部分の強度を増すことができる。
【００２７】
図９（ａ）は、実施例２の変形例のコネクタユニットの背面図、図９（ｂ）は、リードと導電線の拡大図である。図９（ａ）を参照に、リード５６ｂは穴部５８ｂを有している。第１ケーブルの導電線４４はリード５６ｂの穴部５８ｂ内に挿入され半田接合されている。これにより、半田接合部分の強度を増すことができる。
【００２８】
以上、本発明の実施例について詳述したが、本発明は係る特定の実施例に限定されるものではなく、特許請求の範囲に記載された本発明の要旨の範囲内において、種々の変形・変更が可能である。
【図面の簡単な説明】
【００２９】
【図１】図１は、実施例１に係る脈拍検出装置のブロック図である。
【図２】図２は、実施例１に係る脈拍検出装置の外観図である。
【図３】図３は、イヤホン接続ユニットの斜視図である。
【図４】図４は、比較例のイヤホン接続ユニットの分解斜視図である。
【図５】図５は、実施例１のケーブルを示す図である。
【図６】図６は、実施例１のイヤホン接続ユニットの分解斜視図である。
【図７】図７（ａ）は、コネクタユニットの背面図、図７（ｂ）は、リードの拡大図である。
【図８】図８（ａ）は、実施例２のコネクタユニットの背面図、図８（ｂ）は、リードの拡大図である。
【図９】図９（ａ）は、実施例２の変形例のコネクタユニットの背面図、図９（ｂ）は、リードの拡大図である。
【符号の説明】
【００３０】
１０            携帯装置
２０            脈拍センサ
２２            第２ケーブル
３０            イヤホン
４２            第１ケーブル
５０            コネクタユニット
５２            コネクタ部
５６            リード
７０            カバー部
【図１】
2010000255.tif 000003
【図２】
2010000255.tif 000004
【図３】
2010000255.tif 000005
【図４】
2010000255.tif 000006
【図５】
2010000255.tif 000007
【図６】
2010000255.tif 000008
【図７】
2010000255.tif 000009
【図８】
2010000255.tif 000010
【図９】
2010000255.tif 000011